(57)【要約】【課題】斜面に前方擁壁および後方擁壁を備える構造の観覧席について時間的、経済的および環境負荷的に負担の軽減できる観覧席の改修構造、観覧席の改修方法および観覧席改修用部品を提供する。【解決手段】観覧席の改修構造１００は、前方擁壁９１と後方擁壁９２との間に架設される架設体１０１を備えている。架設体１０１は、板状の取付部１０２ａから直交する方向に胴部１０２ｂが延びて形成された第１架設体１０２と板状の取付部１０３ａから直交する方向に２つの板状の連結部１０３ｂが延びて形成された第２架設体１０３とで構成されている。第２架設体１０３は、第１架設体１０２の胴部１０２ｂに対して取付位置が調整可能に構成されている。架設体１０１は、胴部１０２ｂ上に２つの床板支柱１０６が起立して設けられており、これら２つの床板支柱１０６が床板支持体１１０を介して床板９４を支持している。【選択図】  図１
2018009374.tif 000002
【特許請求の範囲】
【請求項１】
斜面の傾斜方向に対して直交する方向に沿って互いに平行に延びる前方擁壁および後方擁壁上に床板が設けられるとともに同床板上に複数の座席が設けられた構成の既存の観覧席を改修した観覧席の改修構造であって、
前記前方擁壁および前記後方擁壁の各壁面間に地面から浮いた状態で架設される架設体と、
前記架設体に支持されて前記床板を下方から支持する床板支柱とを備えることを特徴とする観覧席の改修構造。
【請求項２】
請求項１に記載した観覧席の改修構造において、さらに、
前記床板支柱と前記床板との間に設けられて前記前方擁壁および前記後方擁壁に沿って延びて前記床板を支持する床板支持体を備え、
前記床板支持体は、
同床板支持体の下方に複数配置された前記架設体からそれぞれ延びる前記床板支柱によって支持されていることを特徴とする観覧席の改修構造。
【請求項３】
請求項２に記載した観覧席の改修構造において、さらに、
前記前方擁壁および前記後方擁壁のうちの少なくとも一方の壁面と前記床板支持体との間に架設されるサイド架設体を備えることを特徴とする観覧席の改修構造。
【請求項４】
請求項２または請求項３のうちのいずれか１つに記載した観覧席の改修構造において、
前記床材支持体は、
前記床板内に埋設される埋設体を備えることを特徴とする観覧席の改修構造。
【請求項５】
請求項２ないし請求項４のうちのいずれか１つに記載した観覧席の改修構造において、さらに、
互いに隣り合う前記床板支持体を互いに連結する支持体連結具を備えることを特徴とする観覧席の改修構造。
【請求項６】
請求項１ないし請求項５のうちのいずれか１つに記載した観覧席の改修構造において、
前記架設体は、
前記前方擁壁の壁面に固定される端部と前記後方擁壁の壁面に固定される端部との間の長さが伸縮自在であることを特徴とする観覧席の改修構造。
【請求項７】
斜面の傾斜方向に対して直交する方向に沿って互いに平行に延びる前方擁壁および後方擁壁上に床板が設けられるとともに同床板上に複数の座席が設けられた構成の既存の観覧席の改修方法であって、
前記前方擁壁および前記後方擁壁上に設けられた前記床板を取り除く床板除去工程と、
前記床板が取り除かれた前記前方擁壁および前記後方擁壁の各壁面間に地面から浮いた状態で架設体を架設する架設体設置工程と、
前記架設体上に床板支柱を介して前記床板を配置する床板配置工程とを含むことを特徴とする観覧席の改修方法。
【請求項８】
斜面の傾斜方向に対して直交する方向に沿って互いに平行に延びる前方擁壁および後方擁壁上に床板が設けられるとともに同床板上に複数の座席が設けられた構成の既存の観覧席の改修に用いられる観覧席改修用部品であって、
前記前方擁壁および前記後方擁壁の各壁面間に地面から浮いた状態で架設される架設体と、
前記架設体に支持されて前記床板を下方から支持する床板支柱とを備えることを特徴とする観覧席改修用部品。
【発明の詳細な説明】
【技術分野】
【０００１】
本発明は、傾斜した土地の斜面上に設けた観覧席の改修に用いられる観覧席の改修構造、観覧席の改修方法および観覧席改修用部品に関する。
【背景技術】
【０００２】
従来から、モータスポーツを行うサーキット、スポーツ競技を行う運動場または演劇を行う演劇場などにおいては、多数の観客が座って観覧するための観覧席（スタンド）が設けられている。近年、使用期間が所定の年月に達して改修工事が必要な観覧席が散見されるようになっている。この場合、観覧席の改修工事には、多大な時間およびコストが必要になるため、観覧席の既存の構成部分のうちで引き続き使用可能な部分については可能な限り引き続き使用に供することが時間的、経済的および環境負荷的な負担を軽減する上で極めて好ましい。
【０００３】
近年、改修工事が必要な観覧席として、図８および図９にそれぞれ示すような傾斜地における斜面に形成された観覧席９０がある。この観覧席９０は、傾斜地における斜面の傾斜方向（図示矢印方向）に対して直交する方向に沿って互いに平行に延びるコンクリート製の前方擁壁９１および後方擁壁９２上に床板９４が設けられるとともに、この床板９４上に複数の座席９５が設けられて構成されている。この場合、前方擁壁９１および後方擁壁９２は、前記傾斜方向に延びるコンクリート製の連結壁９３によって所定の間隔を介して互いに連結されており、平面視で格子形状を構成している（図９参照）。なお、図９においては、床板９４の図示を省略している。
【０００４】
そして、このような斜面に前方擁壁９１および後方擁壁９２を備える構造の観覧席の改修工事についても時間的、経済的および環境負荷的に負担の少ない改修方法が望まれるが、現時点において適当な改修方法具は提案されていない。このような背景から、本発明の発明者は、斜面に前方擁壁９１および後方擁壁９２を備える構造の観覧席について時間的、経済的および環境負荷的に負担の軽減できる観覧席改修用部品および観覧席の改修方法を新たに見出したものである。したがって、記載すべき先行技術文献はない。
【０００５】
本発明は上記問題に対処するためなされたもので、その目的は、斜面に前方擁壁および後方擁壁を備える構造の観覧席について時間的、経済的および環境負荷的に負担の軽減できる観覧席の改修構造、観覧席の改修方法および観覧席改修用部品を提供することにある。
【発明の概要】
【０００６】
上記目的を達成するため、本発明の特徴は、斜面の傾斜方向に対して直交する方向に沿って互いに平行に延びる前方擁壁および後方擁壁上に床板が設けられるとともに同床板上に複数の座席が設けられた構成の既存の観覧席を改修した観覧席の改修構造であって、前方擁壁および後方擁壁の各壁面間に地面から浮いた状態で架設される架設体と、架設体に支持されて床板を下方から支持する床板支柱とを備えることにある。
【０００７】
このように構成した本発明の特徴によれば、観覧席の改修構造は、前方擁壁および後方擁壁の各壁面間に架設されて床板を支える架設体を備えているため、既存の構造体である前方擁壁および後方擁壁を有効活用して観覧席を改修することができ改修工事に掛かる時間的、経済的および環境負荷的な負担を軽減することができる。また、本発明に係る観覧席の改修構造は、架設体が前方擁壁および後方擁壁の各壁面間に浮いた状態で設けられて床板を支持するため、前方擁壁と後方擁壁との間の床面または地面の地耐力が脆弱であっても前方擁壁および後方擁壁を活かして観覧席を改修することができる。
【０００８】
また、本発明の他の特徴は、前記観覧席の改修構造において、さらに、床板支柱と床板との間に設けられて前方擁壁および後方擁壁に沿って延びて床板を支持する床板支持体を備え、床板支持体は、同床板支持体の下方に複数配置された架設体からそれぞれ延びる床板支柱によって支持されていることにある。
【０００９】
このように構成した本発明の他の特徴によれば、観覧席の改修構造は、複数の架設体からそれぞれ延びる床板支柱が床板支持体にそれぞれ連結されているため、各床板支柱の高さ調整および床板への連結作業が容易になるとともに調整作業を正確に行うことができる。また、床板支持体は、前方擁壁および後方擁壁に沿って線状または面状に接触して支持する場合には、床板を安定的に支持することができるとともに床板の構成を簡単化して軽量化することができる。
【００１０】
また、本発明の他の特徴は、前記観覧席の改修構造において、さらに、前方擁壁および後方擁壁のうちの少なくとも一方の壁面と床板支持体との間に架設されるサイド架設体を備えることにある。
【００１１】
このように構成した本発明の他の特徴によれば、観覧席の改修構造は、前方擁壁および後方擁壁のうちの少なくとも一方の壁面と床板支持体との間に架設されるサイド架設体を備えているため、床板支持体を安定化させて床板を安定的に支持することができる。なお、サイド架設体は、床板支持体と前方擁壁および／または後方擁壁との間で両者を押し合うまたは引っ張り合うように設けることができる。
【００１２】
また、本発明の他の特徴は、前記観覧席の改修構造において、床材支持体は、床板内に埋設される埋設体を備えることにある。
【００１３】
このように構成した本発明の他の特徴によれば、観覧席の改修構造は、床材支持体が記床板内に埋設される埋設体を備えているため、床板をより強硬かつ安定的に支持することができる。
【００１４】
また、本発明の他の特徴は、観覧席の改修構造において、さらに、互いに隣り合う床板支持体を互いに連結する支持体連結具を備えることにある。
【００１５】
このように構成した本発明の他の特徴によれば、観覧席の改修構造は、互いに隣り合う床板支持体を互いに連結する支持体連結具を備えているため、床板支持体同士を互いに連結してより強固かつ安定的に床板を支持することができる。
【００１６】
また、本発明の他の特徴は、観覧席の改修構造において、架設体は、前方擁壁の壁面に固定される端部と後方擁壁の壁面に固定される端部との間の長さが伸縮自在であることにある。
【００１７】
このように構成した本発明の他の特徴によれば、観覧席の改修構造は、架設体が前方擁壁の壁面に固定される端部と後方擁壁の壁面に固定される端部との間の長さが伸縮自在に構成されているため、前方擁壁と後方擁壁との間隔が互いに異なる複数種類の擁壁間において共通して用いることができるとともに、一対の前方擁壁と後方擁壁においても場所によって間隔が異なる場合であっても架設体の長さを適宜調節することにより確実に設置することができる。特に、改修が必要な観覧席を構成する前方擁壁および後方擁壁は、波打ちなどの変形によって部分的に間隔が変化していることがあるため、架設体の長さが調節できることは極めて有益である。
【００１８】
また、本発明は、観覧席の改修構造の発明として実施できるばかりでなく、観覧席の改修方法および観覧席改修用部品の発明としてもそれぞれ実施できるものである。
【００１９】
具体的には、観覧席の改修方法は、斜面の傾斜方向に対して直交する方向に沿って互いに平行に延びる前方擁壁および後方擁壁上に床板が設けられるとともに同床板上に複数の座席が設けられた構成の既存の観覧席の改修方法であって、前方擁壁および後方擁壁上に設けられた床板を取り除く床板除去工程と、床板が取り除かれた前方擁壁および後方擁壁の各壁面間に地面から浮いた状態で架設体を架設する架設体設置工程と、架設体上に床板支柱を介して床板を配置する床板配置工程とを含むようにすればよい。
【００２０】
また、観覧席改修用部品は、斜面の傾斜方向に対して直交する方向に沿って互いに平行に延びる前方擁壁および後方擁壁上に床板が設けられるとともに同床板上に複数の座席が設けられた構成の既存の観覧席の改修に用いられる観覧席改修用部品であって、前方擁壁および後方擁壁の各壁面間に地面から浮いた状態で架設される架設体と、架設体に支持されて床板を下方から支持する床板支柱とを備えるとよい。これによれば、観覧席の改修方法および観覧席改修用部品は、上記観覧席の改修構造と同様の作用効果を期待することができる。
【図面の簡単な説明】
【００２１】
【図１】本発明の一実施形態に係る観覧席の改修構造の内部構成の概略を示すために床板を除いた状態で部分的に示す平面図である。
【図２】図１に示す２−２線から見た観覧席の改修構造の断面図である。
【図３】図１に示す３−３線から見た観覧席の改修構造の断面図である。
【図４】図１に示す観覧席の改修構造で使用される架設体を構成する第１架設体の外観構成の概略を示しており、（Ａ）は第１架設体の平面図であり、（Ｂ）は第１架設体の正面図であり、（Ｃ）は第１架設体の側面図である。
【図５】図１に示す観覧席の改修構造で使用される架設体を構成する第２架設体の外観構成の概略を示しており、（Ａ）は第２架設体の平面図であり、（Ｂ）は第２架設体の正面図であり、（Ｃ）は第２架設体の側面図である。
【図６】図１に示す観覧席の改修構造で使用される床板支持体、サイド架設体、埋設体、の外観構成の概略を示しており、（Ａ）は床板支持体の平面図であり、（Ｂ）は床板支持体の正面図である。
【図７】本発明の一実施形態に係る観覧席の改修方法の主要な工程の流れを示すフローチャートである。
【図８】従来の観覧席の内部構成を部分的に示す断面図である。
【図９】図８に示す観覧席の内部構成の概略を床板を除いた状態で部分的に示す平面図である。
【発明を実施するための形態】
【００２２】
以下、本発明に係る観覧席の改修構造および観覧席の改修方法の一実施形態について図面を参照しながら説明する。図１は、本発明の一実施形態に係る観覧席の改修構造１００の内部構成の概略を示すために床板９４を除いた状態で部分的に示す平面図である。図２は、図１に示す２−２線から見た観覧席の改修構造１００の断面図である。また、図３は、図１に示す３−３線から見た観覧席の改修構造１００の断面図である。なお、本明細書において参照する各図は、本発明の理解を容易にするために一部の構成要素を誇張して表わすなど模式的に表している。このため、各構成要素間の寸法や比率などは異なっていることがある。
【００２３】
（既存の観覧席９０の構成）
まず、本発明に係る観覧席の改修構造１００を説明する前に、改修工事の対象となる既存の観覧席９０について説明する。観覧席９０は、図８および図９にそれぞれ示すように、傾斜地ＩＧにおける斜面に沿って形成されており、前方擁壁９１および後方擁壁９２を備えている。
【００２４】
前方擁壁９１および後方擁壁９２は、床板９４を支持するためのコンクリート製の構造体であり、傾斜地ＩＧの斜面からそれぞれ起立した状態で傾斜地ＩＧの斜面の傾斜方向（図示矢印方向）に対して直交する横方向に沿って互いに平行に延びて形成されている。この場合、前方擁壁９１および後方擁壁９２の前後関係は、傾斜地ＩＧにおける斜面の傾斜方向に対して相対的なものであり、前方擁壁９１は後方擁壁９２に対して傾斜地ＩＧにおける斜面の傾斜方向の下側に位置している。
【００２５】
これらの前方擁壁９１および後方擁壁９２は、連結壁９３で互いに連結されている。連結壁９３は、前方擁壁９１と後方擁壁９２とを互いに連結するためのコンクリート製の構造体であり、前記横方向において所定の間隔で傾斜地ＩＧの斜面からそれぞれ起立した状態で形成されている。この場合、連結壁９３は、前方擁壁９１の上面と後方擁壁９２の上面とを繋ぐ傾斜面で構成することもできるが、本実施形態においては、前方擁壁９１の上面と同じ高さに形成されている。これらの前方擁壁９１、後方擁壁９２および連結壁９３は、一体的に形成されており、平面視において格子状に形成されている。
【００２６】
床板９４は、座席９５を支持するとともに座席９５の周囲の床面を構成するコンクリート製の構造体であり、平板状に形成されている。この床板９４は、前方擁壁９１および連結壁９３の各上面に載置された状態で、前方擁壁９１の上面、連結壁９３の上面および後方擁壁９２の側面にそれぞれ固着されている。座席９５は、観覧者が座る腰掛けであり、床板９４の上面に図示しないボルトによって固定されている。また、１つの前方擁壁９１、１つの後方擁壁９２および２つの連結壁９３で囲まれた方形の領域内には、傾斜地ＩＧの地面を覆って防湿するためのモルタル製のカバー体９６が形成されている。
【００２７】
（観覧席の改修構造１００の構成）
観覧席の改修構造（以下、単に「改修構造」と呼ぶことがある）１００は、架設体１０１を備えている。架設体１０１は、前方擁壁９１と後方擁壁９２との間に架設されて床板９４を支持するための金属製の部品であり、主として、第１架設体１０２および第２架設体１０３を備えて構成されている。
【００２８】
第１架設体１０２は、図４（Ａ）〜（Ｃ）にそれぞれ示すように、前方擁壁９１の壁面および後方擁壁９２の壁面のうちの一方の壁面に取り付けられる部品であり、主として、取付部１０２ａ、胴部１０２ｂおよびリブ１０２ｅによって構成されている。取付部１０２ａは、前方擁壁９１の壁面または後方擁壁９２の壁面に対して取付ボルト１０４を介して取り付けられる部分であり、平板状に形成されている。
【００２９】
胴部１０２ｂは、前方擁壁９１と後方擁壁９２との間に架設されるとともに床板９４からの荷重を受ける部分であり、取付部１０２ａに対して直交する方向に延びて形成されている。より具体的には、胴部１０２ｂは、長尺の金属板の幅方向両側部分をそれぞれ折り曲げて図示下方に向かって開口する断面コ字状に形成されている。また、胴部１０２ｂは、前方擁壁９１と後方擁壁９２との各壁面間の距離よりも短い長さに形成されている。
【００３０】
この胴部１０２ｂには、上面中央部に床板支柱１０６を取り付けるための２つの取付孔１０２ｃがそれぞれ形成されている。また、胴部１０２ｂは、一方の端部が取付部１０２ａに溶接により固着されているとともに、他方の端部側における２つの側面部にそれぞれ３つずつ位置決め孔１０２ｄがそれぞれ形成されている。リブ１０２ｅは、取付部１０２ａと胴部１０２ｂとを強固に一体化するための板状の部品であり、取付部１０２ａおよび胴部１０２ｂにそれぞれ溶接されている。なお、胴部１０２ｂは、断面コ字状以外の形状、例えば、平板状、筒状または中実の棒状に構成してもよいことは当然である。また、図４（Ａ）〜（Ｃ）においては、胴部１０２ｂの中央部分の一部を省略して示している。
【００３１】
第２架設体１０３は、図５（Ａ）〜（Ｃ）にそれぞれ示すように、前方擁壁９１の壁面および後方擁壁９２の壁面のうちの他方の壁面に取り付けられる部品であり、主として、取付部１０３ａおよび連結部１０３ｂによって構成されている。取付部１０３ａは、取付部１０２ａと同様に、後方擁壁９２の壁面または前方擁壁９１の壁面に対して取付ボルト１０４を介して取り付けられる部分であり、平板状に形成されている。
【００３２】
連結部１０３ｂは、第１架設体１０２の胴部１０２ｂに連結される部分であり、取付部１０３ａに対して直交する方向に延びる２つの板状体で構成されている。この場合、２つの連結部１０３ｂは、胴部１０２ｂの両側に配置されて２つの側面にそれぞれ面接触する間隔を介して設けられている。これらの２つの連結部１０３ｂには、胴部１０２ｂの位置決め孔１０２ｄに対向するそれぞれ対向する位置に長孔１０３ｃがそれぞれ形成されている。
【００３３】
長孔１０３ｃは、胴部１０２ｂの先端部に対して第２架設体１０３の取付位置を胴部１０２ｂの長手方向に変更可能な状態で取り付けるための貫通孔である。すなわち、架設体１０１は、３つの位置決め孔１０２ｄのうちの少なくとも１つに対して長孔１０３ｃの任意の位置で位置決めして連結ボルト１０５で連結し固定することにより長手方向の長さを所望する長さに調節することができる。
【００３４】
床板支柱１０６は、架設体１０１上で床板９４を支持するための部品であり、金属製の棒体の両端部にそれぞれナットがネジ嵌合して構成されている。この床板支柱１０６は、本実施形態においては１つの架設体１０１に２つ設けられており、それぞれ一方（図示下方）の端部が前記第１架設体１０２の胴部１０２ｂに取付孔１０２ｃをそれぞれ介して連結されるとともに、他方（図示上側）の端部が中間板１０７を介して床板支持体１１０に連結されている。
【００３５】
中間板１０７は、床板支柱１０６を床板支持体１１０に連結するための金属製の部品であり、平面視で方形の板状体で構成されている。この中間板１０７は、中央部分に床板支柱１０６が貫通して取り付けられているとともに、縁部分が床板支持体１１０の支持本体１１１にビスによって取り付けられている。
【００３６】
床板支持体１１０は、複数の架設体１０１の各床板支柱１０６が連結されて床板９４を支持する部品であり、金属材を枠状に組んで構成されている。より具体的には、床板支持体１１０は、図６（Ａ），（Ｂ）にそれぞれ示すように、主として、２つの支持本体１１１および４つの連結体１１２を備えて構成されている。
【００３７】
支持本体１１１は、複数の架設体１０１の各床板支柱１０６が連結されて床板９４を支持する部分であり、２つの金属製の板材がそれぞれ前方擁壁９１および後方擁壁９２に沿って互いに平行に延びて形成されている。本実施形態においては、支持本体１１１は、２つのハット形鋼によって構成されている。ここで、ハット形鋼は、長尺の鋼板を長手方向に沿って折り曲げることにより断面形状をハット（鍔付き帽子）の形に成形した鋼材である。これらの支持本体１１１は、互いに隣接する２つの連結壁９３の間隔よりも短い長さに形成されている。なお、支持本体１１１は、ハット形鋼以外の形状、平板状、筒状または中実の棒状に形成されていてもよいことは当然である。
【００３８】
連結体１１２は、２つの支持本体１１１を互いに連結するための部分であり、金属製の板材が２つの支持本体１１１間に所定の間隔を介して架設されている。本実施形態においては、連結体１１２は、Ｌ字形鋼によって構成されている。ここで、Ｌ字形鋼は、長尺の鋼板を長手方向に沿って折り曲げることにより断面形状をＬ字の形に成形した鋼材である。これらの４つの連結体１１２は、２つの支持本体１１１に対して溶接によって固着されている。なお、連結体１１２は、Ｌ字形鋼以外の形状、平板状、筒状または中実の棒状に形成されていてもよいことは当然である。
【００３９】
この床板支持体１１０には、サイド架設体１１３、埋設体１１４および弾性体１１５がそれぞれ取り付けられている。サイド架設体１１３は、床板支持体１１０を安定化させるための部品であり、金属製の棒体の両端部にそれぞれナットがネジ嵌合して構成されている。このサイド架設体１１３は、２つの支持本体１１１に２つずつ設けられており、それぞれ一方の端部が支持本体１１１に連結されるとともに、他方の端部が前方擁壁９１の壁面または後方擁壁９２の壁面に押し付けられている。
【００４０】
埋設体１１４は、床板支持体１１０と床板９４とを強固に連結するために床板９４の内部に埋設される部品であり、金属製の棒体の両端部にそれぞれナットがネジ嵌合して構成されている。この埋設体１１４は、支持本体１１１の両端部分にそれぞれ起立した状態で２つずつ設けられており、一方の端部が支持本体１１１に連結されるとともに他方の端部が床板９４の埋設孔９４ａ内にて封止栓９４ｂによって埋設されている。
【００４１】
弾性体１１５は、支持本体１１１と床板９４との間に配置されて床板９４を弾性的に支持するための部品であり、方形板状のゴム材で構成されている。この弾性体１１５は、床板支柱１０６の上方における支持本体１１１上に図示しない両面テープで固定されている。
【００４２】
また、改修構造１００の横方向に互いに隣り合う床板支持体１１０間には、２つの支持体連結具１１６が設けられている。支持体連結具１１６は、改修構造１００の横方向に互いに隣り合う床板支持体１１０同士を互いに連結するための部品であり、金属製の板状体で構成されている。これらの２つの支持体連結具１１６は、それぞれ両端部が互いに隣接し合う床板支持体１１０の端部にビスによって取り付けられている。
【００４３】
（観覧席の改修構造１００を用いた改修方法）
次に、上記改修構造１００を用いた観覧席９０の改修方法について図７を参照しながら説明する。まず、作業者は、第１工程として、既存の観覧席９０を構成する床板９４を除去する。具体的には、作業者は、既存の観覧席９０から座席９５を撤去した後、前方擁壁９１、後方擁壁９２および連結壁９３に固着した床板９４を除去する。この場合、作業者は、はつり機を用いて床板９４を破砕して除去するはつり作業によって床板９４を除去することができる。この第１工程における床板９４の除去工程が、本発明に係る床板除去工程に相当する。
【００４４】
なお、作業者は、床板９４を破砕することなく前方擁壁９１、後方擁壁９２および連結壁９３から撤去できる場合には、必ずしも床板９４をはつり作業によって除去する必要はない。また、作業者は、床板９４の除去作業によって前方擁壁９１の上面が水平でなくなった場合には、コンクリートやモルタルを盛ることで前方擁壁９１の上面を水平にしておく。また、作業者は、既存の連結壁９３をそのまま残してもよいし、前方擁壁９１の高さよりも低い高さまで除去、または連結壁９３の全てを除去してもよい。本実施形態においては、作業者は、既存の連結壁９３を前方擁壁９１の高さよりも低い高さまで除去する。
【００４５】
次に、作業者は、第２工程として、架設体１０１を設置する。具体的には、作業者は、架設体１０１を用意して第１架設体１０２を前方擁壁９１の壁面または後方擁壁９２の壁面に取付ボルト１０４を介して取り付けた後、第２架設体１０３を後方擁壁９２の壁面または前方擁壁９１の壁面に取付ボルト１０４を介して取り付ける。この場合、作業者は、第１架設体１０２および第２架設体１０３をカバー体９６に接触させずに浮いた状態で取り付ける。また、作業者は、第２架設体１０３の２つの連結部１０３ｂ間に第１架設体１０２の胴部１０２ｂを挿し込んだ状態で第１架設体１０２および第２架設体１０３をそれぞれ前方擁壁９１および後方擁壁９２にそれぞれ取り付ける。
【００４６】
次いで、作業者は、２組の位置決め孔１０２ｄと長孔１０３ｃとにそれぞれ連結ボルト１０５を貫通させて締め付けることにより、第１架設体１０２と第２架設体１０３とを互いに固定的に連結する。これにより、作業者は、架設体１０１を前方擁壁９１と後方擁壁９２との間に宙に浮いた状態で取り付けることができる。
【００４７】
次いで、作業者は、２つの床板支柱１０６を用意して胴部１０２ｂの取付孔１０２ｃにそれぞれ取り付ける。これにより、２つの床板支柱１０６は、架設体１０１における胴部１０２ｂの上面から上方に起立した状態で設けられる。この第２工程における架設体１０１を取り付ける工程が、本発明に係る架設体設置工程に相当する。
【００４８】
次に、作業者は、第３工程として、床板支持体１１０を設置する。具体的には、作業者は、中間板１０７を床板支持体１１０に対応する数だけ用意してこれらの中間板１０７を各床板支柱１０６の上端部に仮止め状態で取り付ける。次いで、作業者は、床板支持体１１０を用意して中間板１０７に載置した後、各床板支柱１０６上の中間板１０７の高さを調整することで床板支持体１１０の高さおよび水平を位置決めする。この場合、作業者は、前方擁壁９１の上面の高さと支持本体１１１の高さが一致するように床板支持体１１０の高さを調節する。
【００４９】
次いで、作業者は、サイド架設体１１３および埋設体１１４をそれぞれ４つずつ用意して床板支持体１１０にそれぞれ取り付ける。具体的には、作業者は、２つのサイド架設体１１３を支持本体１１１と前方擁壁９１との間に取り付けるとともに、残余の２つのサイド架設体１１３を支持本体１１１と後方擁壁９２との間に取り付ける。この場合、４つのサイド架設体１１３は、前方擁壁９１および後方擁壁９２の各壁面を押し付ける状態で取り付けられる。これにより、床板支持体１１０は、架設体１０１上で安定的に設置される。
【００５０】
また、作業者は、２つの埋設体１１４を支持本体１１１の一方の端部側の上面に取り付けるとともに、残余の２つの埋設体１１４を支持本体１１１の他方の端部側の上面に取り付ける。この場合、作業者は、各埋設体１１４の先端部が床板支持体１１０上に載置される床板９４の上面未満に位置するように各埋設体１１４の高さを調節する。
【００５１】
この床板支持体１１０の設置作業は、床板９４を設置する全ての前方擁壁９１および後方擁壁９２間について行なわれる。そして、作業者は、連結体１１２を用意して互いに隣接する床板支持体１１０同士間に連結体１１２を架設して互いに連結する。
【００５２】
次に、作業者は、第４工程として、床板９４を設置する。具体的には、作業者は、弾性体１１５、敷板１１７、受けボルト１１８および床板９４をそれぞれ用意する。ここで、敷板１１７は、前方擁壁９１と床板９４との間に配置されて床板９４からの荷重の緩衝材となる部品であり、樹脂材を長尺に延びる板状に形成して構成されている。この敷板１１７は、前方擁壁９１の上面に２つの敷板１１７が平行に並んだ状態で配置されて図示しない接着剤で前方擁壁９１の上面および床板９４の下面に固定される。また、敷板１１７は、本実施形態においては、弾性体１１５よりも若干薄く形成されている。なお、図１においては、敷板１１７の図示を省略している。
【００５３】
また、受けボルト１１８は、後方擁壁９２と床板９４との間に充填されるモルタル材からなる隙間埋め材１１９の引っ掛かりとなる部品であり、雄ネジが形成された金属製の棒体にナットがネジ嵌合して構成されている。この受けボルト１１８は、作業者によって後方擁壁９２における床板９４が対向する部分の下部部分に後方擁壁９２に沿って複数設置される。
【００５４】
また、床板９４は、予め別工程で製作しておく。具体的には、床板９４は、コンクリート材を板状に成形して製作される。なお、この床板９４は、既存の床板９４が引き続き使用可能であれば、引き続き継続して使用しても構わない。これらの場合、床板９４には、埋設体１１４に対応する位置に貫通孔状の埋設孔９４ａが形成される。
【００５５】
作業者は、弾性体１１５を床板支持体１１０の支持本体１１１上に配置するとともに、敷板１１７を前方擁壁９１の上面に配置した後、これらの上に床板９４を配置する。この場合、作業者は、床板９４の埋設孔９４ａ内に埋設体１１４を挿入するとともに、後方擁壁９２の壁面と床板９４の後端面との間に隙間を形成して床板９４を配置する。
【００５６】
次いで、作業者は、床板９４の埋設孔９４ａ内にモルタル材を充填して埋設体１１４の先端部を封止栓９４ｂによって埋設するとともに、後方擁壁９２の壁面と床板９４の後端面との間の隙間内にモルタル材を充填して隙間埋め材１１９を形成する。これにより、床板９４は、前方擁壁９１および床板支持体１１０によって支持された状態で設置される。なお、作業者は、受けボルト１１８および隙間埋め材１１９を設けず、後方擁壁９２の壁面に床板９４の後端面直接突き当てて床板９４を設置することもできる。
【００５７】
次に、作業者は、第５工程として、座席９５を設置する。具体的には、作業者は、新規の座席９５を用意した後、床板９４上に図示しないボルトを用いて座席９５を固定する。この場合、座席９５は、既存の座席９５が引き続き使用可能であれば、引き続き継続して使用しても構わない。これにより、観覧席の改修構造１００が完成する。なお、作業者は、床板９４が直接座面を構成する場合には、座席９５の設置作業を省略することができる。
【００５８】
上記作動説明からも理解できるように、上記実施形態によれば、観覧席の改修構造１００は、前方擁壁９１および後方擁壁９２の各壁面間に架設されて床板を支える架設体１０１を備えているため、既存の構造体である前方擁壁９１および後方擁壁９２を有効活用して観覧席９０を改修することができ改修工事に掛かる時間的、経済的および環境負荷的な負担を軽減することができる。また、本発明に係る観覧席改修構造は、架設体１０１が前方擁壁９１および後方擁壁９２の各壁面間に浮いた状態で設けられて床板９４を支持するため、前方擁壁９１と後方擁壁９２との間の床面または地面の地耐力が脆弱であっても前方擁壁９１および後方擁壁９２を活かして観覧席９０を改修することができる。
【００５９】
さらに、本発明の実施にあたっては、上記実施形態に限定されるものではなく、本発明の目的を逸脱しない限りにおいて種々の変更が可能である。
【００６０】
例えば、上記実施形態においては、架設体１０１は、第１架設体１０２と第２架設体１０３とで構成した。この場合、架設体１０１は、第１架設体１０２に取付孔１０２ｃを設けるとともに、第２架設体１０３は長孔１０３ｃを設けた。これにより、架設体１０１は、長さ（取付部１０２ａと取付部１０３ａとの間隔）を伸縮自在に構成でき、前方擁壁９１と後方擁壁９２との間隔が種々存在しても長さ調整により対応することができる。しかし、架設体１０１は、第１架設体１０２と第２架設体１０３とを一体的に構成して長さ調整不能に構成することもできる。
【００６１】
また、上記実施形態においては、観客席の改修構造１００は、床板支持体１１０を備えて構成した。すなわち、観客席の改修構造１００は、床板支柱１０６が床板支持体１１０を介して床板９４を間接的に支持するように構成した。しかし、観客席の改修構造１００は、床板支柱１０６が直接床板９４を支持するように構成することもできる。これによれば、観客席の改修構造１００は、構成を簡単化できるとともに床板支持体１１０の設置工程を省略することができる。この場合、観客席の改修構造１００は、少なくともサイド架設体１１３および支持体連結具１１６を省略することができる。
【符号の説明】
【００６２】
ＩＧ…傾斜地、
９０…観覧席、９１…前方擁壁、９２…後方擁壁、９３…連絡壁、９４…床板、９４ａ…埋設孔、９４ｂ…封止栓、９５…座席、９６…カバー体、
１００…観覧席の改修構造、１０１…架設体、１０２…第１架設体、１０２ａ…取付部、１０２ｂ…胴部、１０２ｃ…取付孔、１０２ｄ…位置決め孔、１０２ｅ…リブ、１０３…第２架設体、１０３ａ…取付部、１０３ｂ…連結部、１０３ｃ…長孔、１０４…取付ボルト、１０５…連結ボルト、１０６…床板支柱、１０７…中間板、
１１０…床板支持体、１１１…支持本体、１１２…連結体、１１３…サイド架設体、１１４…埋設体、１１５…弾性体、１１６…支持体連結具、１１７…敷板、１１８…受けボルト、１１９…隙間埋め材。
【図１】
2018009374.tif 000003
【図２】
2018009374.tif 000004
【図３】
2018009374.tif 000005
【図４】
2018009374.tif 000006
【図５】
2018009374.tif 000007
【図６】
2018009374.tif 000008
【図７】
2018009374.tif 000009
【図８】
2018009374.tif 000010
【図９】
2018009374.tif 000011